(57)【要約】【課題】テレビ受信機一体型携帯電話において、通話前に視聴していた放送局のサービスエリアの範囲外に移動した場合に、同系列局のチャンネルを選局する。【解決手段】テレビ受信機電源検出手段１２、受信可能なチャンネルをサーチするチャンネルサーチ手段１５、通話前に視聴していたチャンネル情報を記憶手段１８に格納するチャンネル情報格納手段１６を有するテレビ受信機部１と、着呼検出手段３２と、通話終了検出手段３３と、通話前と通話後の接続基地局の変更を検出する接続基地局変更検出手段３８と、基地局データを格納する基地局データ格納手段３９とを有する携帯電話部３とを備えたテレビ受信機一体型携帯電話装置において、通話終了時に、基地局データに基づいて求めた地域コードによりプリセットされたチャンネルに含まれる、通話前に視聴していたチャンネルと同系列局のチャンネルを選局する。【選択図】        図１
2004153399.tif 000002
【特許請求の範囲】
【請求項１】
テレビ受信機部と携帯電話部を備えたテレビ信号を受信し視聴可能なテレビ受信機一体型携帯電話装置において、
ａ）テレビ受信機が動作中であるかどうかを判断するテレビ受信機電源検出手段と、
ｂ）テレビ受信機の電源をオン−オフするテレビ電源スイッチと、
ｃ）携帯電話部に着呼があるかどうかを判断する着呼検出手段と、
を具備し、テレビ視聴中に着呼があった場合に、テレビ受信機の電源をオフし、通話することを特徴とするテレビ受信機一体型携帯電話装置。
【請求項２】
テレビ受信機部と携帯電話部を備えたテレビ信号を受信し視聴可能なテレビ受信機一体型携帯電話装置において、
ａ）テレビ受信機が動作中であるかどうかを判断するテレビ受信機電源検出手段と、
ｂ）テレビ受信機の電源をオン−オフするテレビ電源スイッチと、
ｄ）前記テレビ電源スイッチをオフにする前に視聴していたチャンネル情報を記憶手段に格納するチャンネル情報格納手段と、
ｃ）携帯電話部に着呼があるかどうかを判断する着呼検出手段と、
ｅ）通話が終了したことを検出する通話終了検出手段と、
を具備し、テレビ視聴中に着呼があった場合に、テレビ受信機の電源をオフし、通話するとともに、前記通話終了検出手段において通話終了を検出した際に、テレビ電源スイッチをオンにし、チャンネル情報格納手段により記憶手段から通話する前に視聴していたチャンネル情報を呼出し、通話する前に視聴していたチャンネルを選局することを特徴とするテレビ受信機一体型携帯電話装置。
【請求項３】
テレビ受信機部と携帯電話部を備えたテレビ信号を受信し視聴可能なテレビ受信機一体型携帯電話装置において、
ａ）テレビ受信機が動作中であるかどうかを判断するテレビ受信機電源検出手段と、
ｆ）テレビ受信機表示部の電源をオンオフする表示部電源スイッチと、
ｇ）テレビ受信機の機能を表示するテレビ受信機表示部と、携帯電話装置の機能を表示する携帯電話表示部の２個の表示部と、
ｃ）携帯電話部に着呼があるかどうかを判断する着呼検出手段と、
を備え、テレビ視聴中に着呼があった場合に、テレビ受信機表示部の電源をオフし、通話することを特徴とするテレビ受信機一体型携帯電話装置。
【請求項４】
請求項３に記載のテレビ受信機一体型携帯電話装置において、
ｅ）通話が終了したことを検出する通話終了検出手段と、
を具備し、前記通話終了検出手段において通話終了を検出した際に、前記表示部電源スイッチをオンにし、通話する前に視聴していたチャンネルを視聴することを特徴とするテレビ受信機一体型携帯電話装置。
【請求項５】
テレビ受信機部と携帯電話部を備えたテレビ信号を受信し視聴可能なテレビ受信機一体型携帯電話装置において、
ａ）テレビ受信機が動作中であるかどうかを判断するテレビ受信機電源検出手段と、
ｃ）携帯電話部に着呼があるかどうかを判断する着呼検出手段と、
ｈ）携帯電話部を留守番モードに設定する留守番モード設定手段と、
を具備し、テレビ視聴中に着呼があった場合に、当該着呼を留守番センターに転送することを特徴とするテレビ受信機一体型携帯電話装置。
【請求項６】
請求項５記載のテレビ受信機一体型携帯電話装置において、
ｅ）通話が終了したことを検出する通話終了検出手段と、
ｉ）着呼を留守番センターへ転送したことを記憶手段に記録する留守番転送記録手段と、
を具備し、テレビ受信機の電源がオフされたことを検出した際に、視聴中に前記留守番転送記録手段による留守番転送の記録があった場合、留守番転送があることをユーザに知らせる、又は留守番センターへ自動的に接続することを特徴とするテレビ受信機一体型携帯電話装置。
【請求項７】
テレビ受信機部と携帯電話部とを備えたテレビ信号を受信し視聴可能なテレビ受信機一体型携帯電話装置において、
ａ）テレビ受信機が動作中であるかどうかを判断するテレビ受信機電源検出手段と、
ｂ）テレビ受信機の電源をオン−オフするテレビ電源スイッチと、
ｆ）テレビ受信機表示部の電源をオンオフする表示部電源スイッチと、
ｇ）テレビ受信機の機能を表示するテレビ受信機表示部と、携帯電話部の機能を表示する携帯電話表示部の２個の表示部と、
ｃ）携帯電話部に着呼があるかどうかを判断する着呼検出手段と、
ｊ）発信元の電話番号を認識する発信者番号認識手段と、
ｋ）発信者毎の通信履歴を記憶手段に格納する通信履歴格納手段と、
を具備し、テレビ視聴中に着呼があった場合に、前記通信履歴格納手段により記憶手段に格納されている通信履歴を読み出し、発信者の１通話当たりの通話時間に応じて表示部電源スイッチをオフにしてテレビ受信機表示部の電源をオフするか、テレビ電源スイッチをオフにしてテレビ受信機電源をオフするかを選択することを特徴とするテレビ受信機一体型携帯電話装置。
【請求項８】
請求項７に記載のテレビ受信機一体型携帯電話装置において、
ｄ）前記テレビ電源スイッチまたは表示部電源スイッチをオフにする前に視聴していたチャンネル情報を記憶手段に格納するチャンネル情報格納手段と、
ｅ）通話が終了したことを検出する通話終了検出手段と、
を具備し、前記通話終了検出手段において通話終了を検出した際に、テレビ受信機の電源をオフしていた場合は、前記テレビ電源スイッチをオンにし、前記チャンネル情報格納手段により記憶手段から通話する前に視聴していたチャンネル情報を呼出し、通話する前に視聴していたチャンネルを選局し、また、テレビ受信機表示部の電源をオフしていた場合は、前記表示部電源スイッチをオンにし、通話する前に視聴していたチャンネルを視聴することを特徴とするテレビ受信機一体型携帯電話装置。
【請求項９】
前記請求項２または請求項４もしくは請求項８のいずれか１項に記載のテレビ受信機一体型携帯電話装置において、
ｌ）通話中にテレビ受信機一体型携帯電話装置が接続している基地局の変更があったかどうかを判定する接続基地局変更検出手段と、
を具備し、基地局の変更が無かった場合に、前記チャンネル情報格納手段により記憶手段から通話する前に視聴していたチャンネル情報を呼出し、通話する前に視聴していたチャンネルを選局することを特徴とするテレビ受信機一体型携帯電話装置。
【請求項１０】
前記請求項９に記載のテレビ受信機一体型携帯電話装置において、
ｍ）受信可能なチャンネルを検出するチャンネルサーチ手段と、
を具備し、前記接続基地局変更検出手段において、都道府県での移動を含む基地局の変更があったと判断した場合は、前記チャンネルサーチ手段によりサーチした受信可能なチャンネル情報を記憶手段にプリセットすることを特徴とするテレビ受信機一体型携帯電話装置。
【請求項１１】
前記請求項１０に記載のテレビ受信機一体型携帯電話装置において、
前記通話終了検出手段において通話終了を検出した際に、前記チャンネル情報格納手段により格納された通話する前に視聴していたチャンネルと同系列局の前記チャンネルサーチ手段によりプリセットされたチャンネルに含まれるチャンネルを選局することを特徴とするテレビ受信機一体型携帯電話装置。
【請求項１２】
前記請求項９に記載のテレビ受信機一体型携帯電話装置において、
ｎ）携帯局の基地局データと地上デジタルテレビ放送のチャンネル情報をプリセットするための地域コードを変換する地域コード変換手段と、
ｏ）前記テレビ受信機一体型携帯電話装置が位置登録をした基地局のデータを記憶手段に格納する基地局データ格納手段と、
を具備し、前記接続基地局変更検出手段において検出された基地局データから、前記地域コード変換手段により地域コードを求め、地域コードからチャンネル情報を記憶手段にプリセットすることを特徴とするテレビ受信機一体型携帯電話装置。
【請求項１３】
前記請求項１２に記載のテレビ受信機一体型携帯電話装置において、
前記地域コードと基地局データを変換するためのデータが基地局データに含まれることを特徴とするテレビ受信機一体型携帯電話装置。
【請求項１４】
前記請求項１２に記載のテレビ受信機一体型携帯電話装置において、
前記地域コードと基地局データを変換するための変換データをネットワーク上のサーバーから取得するための変換データ取得手段と、
を具備し、前記地域コード変換手段に登録されているデータに前記位置登録した基地局データが無い場合に前記変換データ取得手段により、ネットワーク上のサーバーに接続し、前記地域コードと基地局データを変換するための変換データを更新することを特徴とするテレビ受信機一体型携帯電話装置。
【請求項１５】
前記請求項１２乃至請求項１４のいずれか１項に記載のテレビ受信機一体型携帯電話装置において、
前記通話終了検出手段において、通話終了を検出した際に、前記地域コード変換手段により求められた地域コードによりプリセットされたチャンネルに含まれる、前記チャンネル情報格納手段により格納されたチャンネルと同系列局のチャンネルを選局することを特徴とする、テレビ受信機一体型携帯電話装置。
【発明の詳細な説明】
【０００１】
【発明の属する技術分野】
本発明は、テレビジョン受信機一体型の携帯電話装置に関する。
【０００２】
【従来の技術】
従来、テレビジョン受信機において、電源を投入した際に、直前に電源を切った時に選局されていたチャンネルが自動選局されるラストチャンネルメモリ機能を備えるテレビジョン受信機があり、また電源を投入した際に選局するチャンネルをユーザがあらかじめ選択できる機能等も提案されている（例えば、特許文献１参照。）。
【０００３】
日本においては、１９９６年より通信衛星を使用したＣＳデジタル放送が開始され、２０００年末より放送衛星を使用したＢＳデジタル放送が開始された。また、２００３年には地上波を使用した地上デジタル放送が開始される予定である。地上デジタル放送では、従来の地上アナログ放送では非常に困難であった携帯受信、移動受信が可能になるため、携帯電話装置にテレビジョン受信機機能がビルドインされたテレビジョン受信機一体型携帯電話装置が実用化される。
【０００４】
【特許文献１】
特開平１０−３３６５３５号公報「テレビジョン受像機」
【０００５】
【発明が解決しようとする課題】
テレビジョン一体型携帯電話装置では、通話中にユーザが移動することが想定されるため、従来のラストチャンネルメモリ機能では、テレビ視聴中に着呼があり一旦テレビ受信機の電源をオフし、通話が終わり再度テレビ受信機の電源をオンする時に、通話前に視聴していた放送局のサービスエリアの外に出ている場合、視聴が困難になるという問題を有している。
【０００６】
本発明は、そのような状況に鑑みてなされたもので、携帯電話装置での通話中に、携帯局が基地登録している基地局の変更を検出し、携帯局の移動前後の位置を特定することにより、通話終了後、通話前に視聴していた放送局のサービスエリアの範囲外に移動した場合でも、移動後の場所で同系列局のチャンネルを選局し視聴可能にするものである。
【０００７】
【課題を解決するための手段】
本発明はこうした課題を解決するための手段を提供するもので、各発明は、以下の技術手段を構成する。
【０００８】
上記課題を解決するために、本発明の第１の実施の形態では、テレビ受信機部と携帯電話部を備えたテレビ信号を受信し視聴可能なテレビ受信機一体型携帯電話装置において、ａ）テレビ受信機が動作中であるかどうかを判断するテレビ受信機電源検出手段と、ｂ）テレビ受信機の電源をオン−オフするテレビ電源スイッチと、ｃ）携帯電話部に着呼があるかどうかを判断する着呼検出手段とを具備し、テレビ視聴中に着呼があった場合に、テレビ受信機部の電源をオフし、通話することを特徴とする。
【０００９】
また、本発明の第２の実施の形態では、テレビ受信機部と携帯電話部を備えたテレビ信号を受信し視聴可能なテレビ受信機一体型携帯電話装置において、ａ）テレビ受信機が動作中であるかどうかを判断するテレビ受信機電源検出手段と、ｂ）テレビ受信機の電源をオン−オフするテレビ電源スイッチと、ｃ）携帯電話部に着呼があるかどうかを判断する着呼検出手段と、ｄ）前記電源スイッチをオフにする前に視聴していたチャンネル情報を記憶手段に格納するチャンネル情報格納手段と、ｅ）通話が終了したことを検出する通話終了検出手段とを具備し、テレビ視聴中に着呼があった場合に、テレビ受信機部の電源をオフし、通話するとともに、前記通話終了検出手段において通話終了を検出した際に、前記テレビ電源スイッチをオンにし、前記チャンネル情報格納手段により記憶手段から通話する前に視聴していたチャンネル情報を呼出し、通話する前に視聴していたチャンネルを選局することを特徴とする。
【００１０】
また、本発明の第３の実施の形態では、テレビ受信機部と携帯電話部を備えたテレビ信号を受信し視聴可能なテレビ受信機一体型携帯電話装置において、ａ）テレビ受信機が動作中であるかどうかを判断するテレビ受信機電源検出手段と、ｆ）テレビ受信機表示部の電源をオンオフする表示部電源スイッチと、ｇ）テレビ受信機の機能を表示するテレビ受信機表示部と、携帯電話装置の機能を表示する携帯電話表示部の２個の表示部と、ｃ）携帯電話部に着呼があるかどうかを判断する着呼検出手段とを備え、テレビ視聴中に着呼があった場合に、テレビ受信機表示部の電源をオフし、通話することを特徴とする。
【００１１】
また、本発明の第４の実施の形態では、第３の実施の形態にかかるテレビ受信機一体型携帯電話装置において、ｅ）通話が終了したことを検出する通話終了検出手段とを具備し、前記通話終了検出手段において通話終了を検出した際に、前記表示部電源スイッチをオンにし、通話する前に視聴していたチャンネルを視聴することを特徴とする。
【００１２】
また、本発明の第５の実施の形態では、テレビ受信機部と携帯電話部を備えたテレビ信号を受信し視聴可能なテレビ受信機一体型携帯電話装置において、ａ）テレビ受信機が動作中であるかどうかを判断するテレビ受信機電源検出手段と、ｃ）携帯電話部に着呼があるかどうかを判断する着呼検出手段と、ｈ）携帯電話部を留守番モードに設定する留守番モード設定手段とを具備し、テレビ視聴中に着呼があった場合に、当該着呼を留守番センターに転送することを特徴とする。
【００１３】
また、本発明の第６の実施の形態は、第５の実施の形態にかかるテレビ受信機一体型携帯電話装置において、ｅ）通話が終了したことを検出する通話終了検出手段と、ｉ）着呼を留守番センターへ転送したことを記憶手段に記録する留守番転送記録手段とを具備し、テレビ受信機の電源がオフされたことを検出した際に、視聴中に前記留守番転送記録手段による留守番転送の記録があった場合、留守番転送があることをユーザに知らせる、又は留守番センターへ自動的に接続することを特徴とする。
【００１４】
また、本発明の第７の実施の形態では、テレビ受信機部と携帯電話部とを備えたテレビ信号を受信し視聴可能なテレビ受信機一体型携帯電話装置において、ａ）テレビ受信機が動作中であるかどうかを判断するテレビ受信機電源検出手段と、ｂ）テレビ受信機の電源をオン−オフするテレビ電源スイッチと、ｆ）テレビ受信機表示部の電源をオンオフする表示部電源スイッチと、ｇ）テレビ受信機の機能を表示するテレビ受信機表示部と、携帯電話部の機能を表示する携帯電話表示部の２個の表示部と、ｃ）携帯電話部に着呼があるかどうかを判断する着呼検出手段と、ｊ）発信元の電話番号を認識する発信者番号認識手段と、ｋ）発信者毎の通信履歴を記憶手段に格納する通信履歴格納手段とを具備し、テレビ視聴中に着呼があった場合に、前記通信履歴格納手段により記憶手段に格納されている通信履歴を読み出し、発信者の１通話当たりの通話時間に応じて表示部電源スイッチをオフにしてテレビ受信機表示部の電源をオフするか、テレビ電源スイッチをオフにしてテレビ受信機電源をオフするかを選択することを特徴とする。
【００１５】
また、本発明の第８の実施の形態では、第７の実施の形態にかかるテレビ受信機一体型携帯電話装置において、ｄ）前記テレビ電源スイッチまたは表示部電源スイッチをオフにする前に視聴していたチャンネル情報を記憶手段に格納するチャンネル情報格納手段と、ｅ）通話が終了したことを検出する通話終了検出手段とを具備し、前記通話終了検出手段において通話終了を検出した際に、テレビ受信機の電源をオフしていた場合は、前記テレビ電源スイッチをオンにし、前記チャンネル情報格納手段により記憶手段から通話する前に視聴していたチャンネル情報を呼出し、通話する前に視聴していたチャンネルを選局し、また、テレビ受信機表示部の電源をオフしていた場合は、前記表示部電源スイッチをオンにし、通話する前に視聴していたチャンネルを視聴することを特徴とする。
【００１６】
また、本発明の第９の実施の形態では、第２の実施の形態または第４の実施の形態もしくは第８の実施の形態のいずれかにおけるテレビ受信機一体型携帯電話装置において、ｌ）通話中にテレビ受信機一体型携帯電話装置が接続している基地局の変更があったかどうかを判定する接続基地局変更検出手段と、
を具備し、基地局の変更が無かった場合に、前記チャンネル情報格納手段により記憶手段から通話する前に視聴していたチャンネル情報を呼出し、通話する前に視聴していたチャンネルを選局することを特徴とする。
【００１７】
また、本発明の第１０の実施の形態では、第９の実施の形態にかかるテレビ受信機一体型携帯電話装置において、ｍ）受信可能なチャンネルを検出するチャンネルサーチ手段とを具備し、前記接続基地局変更検出手段において、都道府県での移動を含む基地局の変更があったと判断した場合は、前記チャンネルサーチ手段によりサーチした受信可能なチャンネル情報を記憶手段にプリセットすることを特徴とする。
【００１８】
また、本発明の第１１の実施の形態では、第１０の実施の形態にかかるテレビ受信機一体型携帯電話装置において、前記通話終了検出手段において通話終了を検出した際に、前記チャンネル情報格納手段により格納された通話する前に視聴していたチャンネルと同系列局の前記チャンネルサーチ手段によりプリセットされたチャンネルに含まれるチャンネルを選局することを特徴とする。
【００１９】
また、本発明の第１２の実施の形態では、第９の実施の形態にかかるテレビ受信機一体型携帯電話装置において、ｎ）携帯局の基地局データと地上デジタルテレビ放送のチャンネル情報をプリセットするための地域コードを変換する地域コード変換手段と、ｏ）前記テレビ受信機一体型携帯電話装置が位置登録をした基地局のデータを記憶手段に格納する基地局データ格納手段とを具備し、前記接続基地局変更検出手段において検出された基地局データから、前記地域コード変換手段により地域コードを求め、地域コードからチャンネル情報を記憶手段にプリセットすることを特徴とする。
【００２０】
また、本発明の第１３の実施の形態では、第１２の実施の形態にかかるテレビ受信機一体型携帯電話装置において、前記地域コードと基地局データを変換するためのデータが基地局データに含まれることを特徴とする。
【００２１】
また、本発明の第１４の実施の形態では、第１２の実施の形態にかかるテレビ受信機一体型携帯電話装置において、前記地域コードと基地局データを変換するための変換データをネットワーク上のサーバーから取得するための変換データ取得手段とを具備し、前記地域コード変換手段に登録されているデータに前記位置登録した基地局データが無い場合に前記変換データ取得手段により、ネットワーク上のサーバーに接続し、前記地域コードと基地局データを変換するための変換データを更新することを特徴とする。
【００２２】
また、本発明の第１５の実施の形態では、第１２の実施の形態にかかるテレビ受信機一体型携帯電話装置において、前記通話終了検出手段において、通話終了を検出した際に、前記地域コード変換手段により求められた地域コードによりプリセットされたチャンネルに含まれる、前記チャンネル情報格納手段により格納されたチャンネルと同系列局のチャンネルを選局することを特徴とする。
【００２３】
【発明の実施の形態】
本発明によるテレビ受信機一体型携帯電話装置の実施の形態の例を図１乃至図１５に基づいて以下に説明する。
【００２４】
図１は、本発明によるテレビ受信機一体型携帯電話装置の実施の形態の例における構成の一例であり、テレビ受信機部１、携帯電話部３から構成される。
【００２５】
テレビ受信機部１は、チューナ／復調部１１、テレビ受信機電源検出手段１２、テレビ電源スイッチ１３、表示部電源スイッチ１４、チャンネルサーチ手段１５、チャンネル情報格納手段１６、テレビ受信機表示部１７、不揮発性メモリ１８、ＲＡＭ１９、ＲＯＭ２０、制御部／信号処理部２１、アンテナ２２から構成される。
【００２６】
チューナ／復調部１１は、アンテナ２２で受信したテレビ放送波を、検波し、復調し、誤り訂正等を施し、ＭＰＥＧ２（Ｍｏｖｉｎｇ  Ｐｉｃｔｕｒｅｓ  Ｅｘｐｅｒｔ  Ｇｒｏｕｐ２）のトランスポートストリームを得る手段である。
【００２７】
テレビ受信機電源検出手段１２は、テレビ受信機の電源がオンとされているかオフとされているかを検出し、テレビ受信機が動作中であるか否かを判断する機能を有している。
【００２８】
テレビ電源スイッチ１３は、テレビ受像機の電源をオン−オフするスイッチであり、制御部／信号処理部２１により自動的にオン−オフされたり手動によってオン−オフさせるスイッチである。
【００２９】
表示部電源スイッチ１４は、テレビ受信機表示部の電源をオン−オフするスイッチであり、制御部／信号処理部２１により自動的にオン−オフされたり手動によってオン−オフさせるスイッチである。
【００３０】
チャンネルサーチ手段１５は、受信可能なチャンネルを検出する手段であり、例えばテレビ受信機一体型携帯電話装置が通話開始時に登録した携帯電話基地局と異なる携帯電話基地局で通話を終了したときに、受信可能なチャンネルをサーチする。
【００３１】
チャンネル情報格納手段１６は、通話前またはテレビ受信機電源をオフする前に視聴していたチャンネル情報を記憶手段（不揮発性メモリ１８またはＲＡＭ１９）に格納し、通話終了時またはテレビ受信機電源がオンとなったときに記憶手段から通話前またはテレビ受信機電源をオフする前に視聴していたチャンネル情報を呼び出す手段である。
【００３２】
テレビ受信機表示部１７は、テレビ受信機が受信した映像を表示する表示部である。
【００３３】
不揮発性メモリ１８は、通話する前に視聴していたチャンネル情報やチャンネルサーチ手段１５がサーチした受信可能なチャンネル情報などを記憶する手段である。
【００３４】
ＲＡＭ１９は、通話する前に視聴していたチャンネル情報などを一時的に格納する手段である。
【００３５】
ＲＯＭ２０は、テレビ受信機部１の動作に必要なソフトウエアなどを格納する手段である。
【００３６】
制御部／信号処理部２１は、テレビ受信機部１の動作を制御し、各種信号を処理するする手段である。チューナ／復調部１１で得られたトランスポートストリームから必要な番組のパケットデータを分離し、ＭＰＥＧ２方式で圧縮された映像、音声データを復号し、復号された映像信号をテレビ受信機表示部１７へ出力する。
【００３７】
アンテナ２２は、放送局からのテレビ放送電波を受信する手段である。
【００３８】
一方、携帯電話部３は、無線送受信回路部３１、着呼検出手段３２、通話終了検出手段３３、留守番モード設定手段３４、留守番転送記録手段３５、発信者番号認識手段３６、通信履歴格納手段３７、接続基地局変更検出手段３８、基地局データ格納手段３９、地域コード変換手段４０、携帯電話表示部４１、不揮発性メモリ４２、ＲＡＭ４３、ＲＯＭ４４、マイク／スピーカ４５、制御部／信号処理部４６、操作部４７、変換データ取得手段４８、アンテナ４９から構成される。
制御部／信号処理部４６で必要な処理が施され、ユーザに知らせるべき内容が携帯電話表示部４１に表示されるかまたは、マイク／スピーカ４５に音声として出力される。また、マイク／スピーカ４５からの音声入力や、操作部４７から入力された、オンフック、ダイヤル等のユーザによるキー入力は、制御部／信号処理部４６で処理されたあと無線送受信回路部３１に入力され、変調され、アンテナ４９から携帯電話基地局５１に対し電波が送信される。
【００３９】
無線送受信回路部３１は、アンテナ４９で受信した電波を、検波し、復調し、誤り訂正等の処理を施す手段である。
【００４０】
着呼検出手段３２は、携帯電話部３への着呼があったことを検出し、着呼があったときに着呼があったことを制御部／信号処理部４６へ通知する手段である。
【００４１】
通話終了検出手段３３は、携帯電話部３の通話を監視し、通話が終了したときに、通話の終了を制御／信号処理部４６へ通知する手段である。
【００４２】
留守番モード設定手段３４は、操作部４７から留守番モード設定する入力があったときに、留守番モードを設定し、留守番モード設定時の着呼を留守番センター５２へ転送する手段である。
【００４３】
留守番転送記録手段３５は、留守番モード設定時に着呼を留守番センターに転送したことを、不揮発性メモリ４２またはＲＡＭ４３へ記録する手段である。
【００４４】
発信者番号認識手段３６は、着呼があったときに、発信者の番号を認識する手段である。
【００４５】
通信履歴格納手段３７は、着呼時に発信者番号認識手段３６で認識した発信者との通話時間を算出して、１通話あたりの通話時間を不揮発性メモリ４２内に格納し、着呼時に認識した発信者番号から当該発信者との１通話あたりの通話時間を呼出す働きを有している。
【００４６】
接続基地局変更検出手段３８は、通話中にテレビ受信機一体型携帯電話装置が接続している基地局の変更があったかどうかを判定する手段であり、通話開始時に接続した携帯電話基地局と通話終了時に接続されている携帯電話基地局を比較し、接続基地局に変更があるか否かを検出する。さらに、接続基地局変更検出手段３８は、基地局の変更が都道府県を越えた移動を含むか否かを判断する機能を有している。
【００４７】
基地局データ格納手段３９は、携帯電話部が位置登録をした携帯電話基地局のデータを記憶手段に格納し、記憶手段からこの携帯電話基地局のデータを読み出す手段である。
【００４８】
地域コード変換手段４０は、携帯局の基地局データと、地上デジタルテレビ放送のチャンネル情報をプリセットするための地域コードを変換する手段である。
【００４９】
携帯電話表示部４１は、通話に関連する情報を表示する手段である。
【００５０】
不揮発性メモリ４２は、通信履歴、基地局データなどを記憶する手段である。
【００５１】
ＲＡＭ４３は、接続基地局や、各種の通話データを記憶する手段である。
【００５２】
ＲＯＭ４４は、携帯電話部の動作に必要なソフトウエアなどを格納する手段である。
【００５３】
マイク／スピーカ４５は、携帯電話部の音声の入出力手段である。
【００５４】
制御部／信号処理部４６は、無線送受信回路部３１から受桁信号に必要な処理を施し、ユーザに知らせるべき内容を携帯電話表示部４１に表示するかまたは、マイク／スピーカ４５から音声として出力される。また、制御部／信号処理部４６は、マイク／スピーカ４５からの音声入力や、操作部４７から入力された、オンフック、ダイヤル等のユーザによるキー入力を処理し、無線送受信回路部３１へ出力する。
【００５５】
操作部４７は、電話番号入力、発呼、着呼、留守番モード設定などを操作する手段である。
【００５６】
変換データ取得手段４８は、地域コードと基地局データを変換するための変換データをネットワーク上のサーバーから取得する手段である。
【００５７】
アンテナ４９は、携帯電話基地局５１との間で電波を送受信する手段である。
【００５８】
ここでは、テレビ受信機部１、携帯電話部３のように機能別に分離した形態で構成されているテレビ受信機一体型携帯電話装置の実施例として以降説明するが、テレビ受信機部１の表示部１７と、携帯電話部３の表示部４１が同じものを使用する場合についても同様に考えられる。また、テレビ受信機部１の制御部／信号処理部２１と、携帯電話部３の制御部／信号処理部４６が同じものを使用する場合についても同様に考えられる。
【００５９】
テレビ放送波は、アンテナ２２で受信され、チューナ／復調部１１で検波、復調、誤り訂正等が施され、ＭＰＥＧ２のトランスポートストリームが得られる。制御部／信号処理部２１では得られたトランスポートストリームから必要な番組のパケットデータを分離し、ＭＰＥＧ２方式で圧縮された映像、音声データの復号を行なう。復号された映像信号は、テレビ受信機表示部１７へ入力され表示される。携帯電話部３では、携帯電話基地局５１からの電波をアンテナ４９で受信し、無線送受信回路部３１で検波、復調、誤り訂正等が施されたあと、制御部／信号処理部４６で必要な処理が施され、ユーザに知らせるべき内容が携帯電話表示部４１に表示されるかまたは、マイク／スピーカ４５に音声として出力される。また、マイク／スピーカ４５からの音声入力や、操作部４７から入力された、オンフック、ダイヤル等のユーザによるキー入力は、制御部／信号処理部４６で処理されたあと無線送受信回路部３１に入力され、変調され、アンテナ４９から携帯電話基地局５１に対し電波が送信される。
【００６０】
始めに、本発明の第１の実施の形態に関して、図１及び図２のフローチャート図を参照しながら説明する。ユーザはまず、テレビ受信機部１のテレビ電源スイッチ１３により電源をオンにし、特定のチャンネルを選局しテレビ視聴を始める（Ｓ２０１）。テレビ視聴中に携帯電話部３に着呼があり、ユーザにより操作部４７の通話キーが押されたことを着呼検出手段３２により検出された後（Ｓ２０２）、現在テレビ受信機部１の電源がオンかオフかをテレビ受信機電源検出手段１２により検出し、もし電源がオンの場合は、テレビ受信機部１全体の電源をオフにしたあとで、携帯電話装置での通話状態へ入る（Ｓ２０３）。
【００６１】
すなわち、この実施の形態は、テレビ受信機部１と携帯電話部３を有するテレビ受信機一体型携帯電話装置において、テレビ受信機部が動作中であるかどうかを判断するテレビ受信機電源検出手段１２と、テレビ受信機部１の電源をオンオフするテレビ電源スイッチ１３と、携帯電話部３に着呼があるかどうかを判断する着呼検出手段３２とを具備し、テレビ視聴中に携帯電話部３に着呼があったときに、テレビ受信機１の電源をオフし、通話するようにした。
【００６２】
この第１の実施の形態により、通話中はテレビ受信機全体の電源をオフとすることによって、省電力が実現されるのと、テレビ受信機部１から携帯電話部３へのノイズの飛び込みを無くすことが出来る。
【００６３】
また、ここではテレビ電源スイッチ１３はテレビ受信機部１全体の電源をオンオフするスイッチとして記載してあるが、テレビ受信機部１と携帯電話部３において、表示部や制御等の同じ機能ブロックを使用する場合、テレビの電源スイッチ６は、携帯電話部３と共用する機能ブロックを除く、テレビ受信機部１のみに使用される機能ブロックの電源を制御するスイッチとなる。以下の発明についても同様である。
【００６４】
次に、本発明の第２の実施の形態に関して、図１及び図３のフローチャートを参照しながら説明する。ユーザはまず、テレビ受信機部１のテレビ電源スイッチ１３により電源をオンにし、特定のチャンネルを選局しテレビ視聴を始める（Ｓ３０１）。テレビ視聴中に携帯電話部３に着呼があり、ユーザにより操作部４７の通話キーが押されたことを着呼検出手段３２が検出されると（Ｓ３０２）、現在視聴中のテレビチャンネルの選局に必要なチャンネル情報をチャンネル情報格納手段１６により、不揮発性メモリ１８に記録した後（Ｓ３０４）、現在テレビ受信機部１の電源がオンかオフかをテレビ受信機電源検出手段１２により検出し、もし電源がオンの場合は、テレビ受信機部１全体の電源をオフにしたあとで、携帯電話装置での通話状態へ入る（Ｓ３０３）。ここで、不揮発性メモリ１８に記録されるチャンネル情報は、ＭＰＥＧ２トランスポートストリームのＰＳＩ（Ｐｒｏｇｒａｍ  Ｓｐｅｃｉｆｉｃ  Ｉｎｆｏｍａｔｉｏｎ）情報、及びＳＩ（Ｓｅｒｖｉｃｅ  Ｉｎｆｏｍａｔｉｏｎ）情報の中から抽出される、選局に必要な情報を使用する。通話が終わり、ユーザが終話キーを押したことを、通話終了検出手段３３により検出した場合（Ｓ３０５）、現在テレビ受信機部１の電源がオンかオフかをテレビ受信機電源検出手段１２により検出し、もし電源がオフの場合は、テレビ受信機部１全体の電源をオンする（Ｓ３０６）。その後、不揮発性メモリ１８に記録されたチャンネル情報を読みだし、通話する前に視聴していたテレビチャンネルを選局する（Ｓ３０７）。
【００６５】
すなわち、第２の実施の形態は、テレビ受信機部１と携帯電話部３を備えたテレビ信号を受信し視聴可能なテレビ受信機一体型携帯電話装置において、テレビ受信機が動作中であるかどうかを判断するテレビ受信機電源検出手段１２と、テレビ受信機の電源をオン−オフするテレビ電源スイッチ１３と、テレビ電源スイッチ１３をオフにする前に視聴していたチャンネル情報を記憶手段１８／１９に格納するチャンネル情報格納手段１６と、携帯電話部に着呼があるかどうかを判断する着呼検出手段３２と、通話が終了したことを検出する通話終了検出手段３３とを具備し、テレビ視聴中に着呼があった場合に、テレビ受信機部１の電源をオフし、通話するとともに、通話終了検出手段３３において通話終了を検出した際に、テレビ電源スイッチ１３をオンにし、チャンネル情報格納手段１６により記憶手段１８／１９から通話する前に視聴していたチャンネル情報を呼出し、通話する前に視聴していたチャンネルを選局するようにした。
【００６６】
この第２の実施の形態により、終話後ユーザが選局操作をしなくても通話前に視聴していたテレビチャンネルを視聴することが可能になる。
【００６７】
次に、本発明の第３の実施の形態に関して、図１及び図４のフローチャート図を参照しながら説明する。ユーザはまず、テレビ受信機部１のテレビ電源スイッチ１３により電源をオンにし、特定のチャンネルを選局しテレビ視聴を始める（Ｓ４０１）。テレビ視聴中に携帯電話部３に着呼があり、ユーザにより操作部４７の通話キーが押されたことを着呼検出手段３２により検出された後（Ｓ４０２）、現在テレビ受信機部１の電源がオンかオフかをテレビ受信機電源検出手段１２により検出し、もし電源がオンの場合は、表示部電源スイッチ１４をオフとすることによってテレビ受信機表示部１７だけの電源をオフにしたあとで、携帯電話装置での通話状態へ入る（Ｓ４０８）。
【００６８】
すなわち、第３の実施の形態は、テレビ受信機部１と携帯電話部３を有するテレビ受信機一体型携帯電話装置において、テレビ受信機部１が動作中であるかどうかを判断するためのテレビ受信機電源検出手段５と、テレビ受信機表示部１７の電源をオンオフする表示部電源スイッチ１４と、携帯電話部に着呼があるかどうかを判断する着呼検出手段３２と、テレビ受信機の機能を表示するテレビ受信機表示部１７と、携帯電話装置の機能を表示する携帯電話表示部４１の２個の表示部とを備え、テレビ視聴中に着呼があった場合に、表示部電源スイッチ１４をオフすることによってテレビ受信機表示部１７の電源をオフし、通話するようにした。
【００６９】
この第３の実施の形態により、テレビ受信機部１と携帯電話部３がそれぞれ表示部を備えている場合に、テレビ受信機表示部１７だけの電源をオフすることにより、省電力が実現される。尚、本発明は、テレビ受信機部１と携帯電話部３の表示部が分離されている場合に有効であり、例えば、携帯電話部３の表示部２６が設置される面と異なる面にテレビ受信機部１の表示部１０がある場合には特に有効である。
【００７０】
次に、本発明の第４の実施の形態に関して、図１及び図５のフローチャート図を参照しながら説明する。ユーザはまず、テレビ受信機部１のテレビ電源スイッチ１３により電源をオンにし、特定のチャンネルを選局しテレビ視聴を始める（Ｓ５０１）。テレビ視聴中に携帯電話部３に着呼があり、ユーザにより操作部４７の通話キーが押されたことを着呼検出手段３２により検出された後（Ｓ５０２）、現在テレビ受信機部１の電源がオンかオフかをテレビ受信機電源検出手段１２により検出し、もし電源がオンの場合は、表示部電源スイッチ１４をオフすることによってテレビ受信機表示部１７だけの電源をオフにしたあとで、携帯電話装置での通話状態へ入る（Ｓ５０８）。通話が終わり、ユーザが終話キーを押したことを、通話終了検出手段３３により検出した場合（Ｓ５０５）、表示部電源スイッチ１４をオンにすることによってテレビ受信機表示部１７の電源をオンし通話前に視聴していたチャンネルを視聴する（Ｓ５０９）。
【００７１】
すなわち、この第４の実施の形態は、第３の実施の形態にかかるテレビ受信機一体型携帯電話装置において、通話が終了したことを検出する通話終了検出手段３３とを具備し、通話終了検出手段３３において、通話終了を検出した際に、表示部電源スイッチ１４をオンにし、通話する前に視聴していたチャンネルを視聴するようにした。
【００７２】
この第４の実施の形態では、通話終了後テレビ受信機表示部１７の電源を入れるだけで、通話前に見ていたチャンネルを視聴することができ、受信機全体の電源をオンしチャンネルを選局するために必要な時間を節約することができる。
【００７３】
次に、本発明の第５の実施の形態に関して、図１及び図６のフローチャート図を参照しながら説明する。ユーザはまず、テレビ受信機部１のテレビ電源スイッチ１３により電源をオンにし、特定のチャンネルを選局しテレビ視聴を始める（Ｓ６０１）。テレビ視聴中に携帯電話部３に着呼があり、ユーザにより操作部４７の通話キーが押されたことを着呼検出手段３２により検出された後（Ｓ６０２）、着信電話を留守番センター５２へ転送するための留守番モードに設定されているかどうかを判定し（Ｓ６１０）、留守番モードに設定されている場合は、着信した電話を留守番センターへ転送し、そのままテレビ視聴を続ける（Ｓ６１１）。留守番モードに設定されていない場合は、テレビ受信機部１の電源をオフし、携帯電話装置での通話状態へ入る（Ｓ６１２）。
【００７４】
すなわち、第５の実施の形態は、テレビ受信機部１と携帯電話部３を有するテレビ受信機一体型携帯電話装置において、テレビ受信機が動作中であるかどうかを判断するためのテレビ受信機電源検出手段１２と、携帯電話部に着呼があるかどうかを判断する着呼検出手段３２と、留守番モードに設定する留守番モード設定手段３４とを具備し、テレビ視聴中に着呼があった場合に、留守番センターに転送するようにした。
【００７５】
この実施の形態によれば、テレビ使用中に形態電話部に着呼があったときに、当該着呼を留守番センターに転送するので、テレビの視聴を中断することがなくなる。
【００７６】
次に本発明の第６の実施の形態に関して、図１及び図７のフローチャート図を参照しながら説明する。ユーザはまず、テレビ受信機部１のテレビ電源スイッチ１３により電源をオンにし、特定のチャンネルを選局しテレビ視聴を始める（Ｓ７０１）。テレビ視聴中に携帯電話部３に着呼があり、ユーザにより操作部４７の通話キーが押されたことを着呼検出手段３２により検出された後（Ｓ７０２）、留守番モード設定手段３４によって着信電話を留守番センター５２へ転送するための留守番モードに設定されているかどうかを判定し（Ｓ７１０）、留守番モードに設定されている場合は、着信した電話を留守番センター５２へ転送し、そのままテレビ視聴を続ける（Ｓ７１１）、と同時に留守番センター５２へ転送したことを留守番転送記録手段３５により不揮発性メモリ１８へ記録する（Ｓ７１４）。ここで、不揮発性メモリ１８へ記録される情報は、例えば着信した電話を留守番センター５２へ転送したか、していないかを示す１ビットの情報を使用する。その後、テレビ受信機部１の電源がオンかオフかを判定し（Ｓ７１３）、もし電源がオフ状態なら、テレビ視聴が終了したと判断し、留守番転送記録手段３５により不揮発性メモリ１８を参照して留守番センターへ転送された着信した電話があるかどうかを判定し（Ｓ７１５）、転送されている着信した電話がある場合はユーザに留守番転送の記録があることを通知する、または自動的に留守番センターへ接続する（Ｓ７１６）。
【００７７】
もし、留守番モードに設定されていない場合は、テレビ受信機部１の電源をオフし、携帯電話装置での通話状態へ入る（Ｓ７１２）。
【００７８】
第６の実施の形態は、第５の実施の形態にかかるテレビ受信機一体型携帯電話装置において、通話が終了したことを検出する通話終了検出手段３３と、留守番センターへ転送したことを不揮発性メモリ４２に記録する留守番転送記録手段３５とを具備し、テレビ受信機の電源がオフされたことを検出した際に、視聴中に留守番転送記録手段３５によって不揮発性メモリ４２に留守番転送の記録があった場合ユーザに知らせる、又は留守番センターへ自動的に接続するようにした。
【００７９】
この実施の形態によれば、テレビ放送視聴中に留守番センターに転送した着呼を、テレビ放送視聴終了時に通知することができ、またテレビ視聴終了後自動的にｒｙス板センターに転送した着呼を取り出すことができる。
【００８０】
次に、本発明の第７の実施の形態に関して、図１及び図８のフローチャート図を参照しながら説明する。ユーザはまず、テレビ受信機部１のテレビ電源スイッチ１３により電源をオンにし、特定のチャンネルを選局しテレビ視聴を始める（Ｓ８０１）。テレビ視聴中に携帯電話部３に着呼があり、ユーザにより操作部４７の通話キーが押されたことを着呼検出手段３２により検出された後（Ｓ８０２）、発信者番号認識手段３６により発信元の電話番号を特定すると同時に、通信履歴格納手段３７により不揮発性メモリ４２に記録されている過去の通信履歴から発信者の１通話当たりの通話時間を求める（Ｓ８１７）。ここで、不揮発性メモリ４２に記録されている過去の通信履歴は、例えば通話日時、通話時間、通話相手の情報を過去の一定期間にわたり記録したものである。発信者の１通話当たりの通話時間が、ユーザが指定するしきい値Ｔｓより長い場合は、通話時間が長くなると判断し、最も省電力効果の大きいテレビ受信機部１全体の電源をオフし携帯電話装置での通話状態へ入る（Ｓ８０３）。発信者の１通話当たりの通話時間が、しきい値Ｔｓより短い場合は、通話時間が短いと判断し、テレビ受信機表示部１７だけの電源をオフし携帯電話装置での通話状態へ入る（Ｓ８０８）。
【００８１】
この第７の実施の形態は、テレビ受信機一体型携帯電話装置に、テレビ受信機が動作中であるかどうかを判断するテレビ受信機電源検出手段１２と、テレビ受信機の電源をオンオフするテレビ電源スイッチ１３と、テレビ受信機の表示部１０の電源をオンオフする表示部電源スイッチ１４と、テレビ受信機の機能を表示するテレビ受信機表示部１７と、携帯電話装置の機能を表示する携帯電話表示部４１の２個の表示部と、携帯電話部に着呼があるかどうかを判断する着呼検出手段３２と、発信元の電話番号を認識する発信者番号認識手段３６と、発信者毎の通信履歴を不揮発性メモリ４２に格納する通信履歴格納手段３７とを具備し、テレビ視聴中に着呼があった場合に、通信履歴格納手段３７により不揮発性メモリ４２に格納されている通信履歴より、発信者の１通話当たりの通話時間に応じて表示部電源スイッチ１４をオフにしてテレビ受信機表示部１７の電源をオフするか、テレビ電源スイッチ１３をオフにしてテレビ受信機部１の電源をオフするかを選択することを特徴とする。
【００８２】
この実施の形態によれば、テレビ放送視聴中に着呼があったときに、通話が長くなる傾向にある発信者からの着呼であるときには、テレビ受信機部１の電源をオフとして、省電力を実現するとともに、テレビ受信機部１から携帯電話部３へのノイズの飛び込みを無くすことが出来る。また、テレビ放送視聴中の着呼が、通話があまり長くない傾向にある発信者からの着呼であるときには、テレビ受信機表示部の電源をオフとすることによって、通話終了時に直ちにテレビ受信機部１の機能を回復させることができる。
【００８３】
次に、本発明の第８の実施の形態に関して、図１及び図９のフローチャート図を参照しながら説明する。ユーザはまず、テレビ受信機部１のテレビ電源スイッチ１３により電源をオンにし、特定のチャンネルを選局しテレビ視聴を始める（Ｓ９０１）。テレビ視聴中に携帯電話部３に着呼があり、ユーザにより操作部４７の通話キーが押されたことを着呼検出手段３２により検出された後（Ｓ９０２）、発信者番号認識手段３６により発信元の電話番号を特定すると同時に、通信履歴格納手段３７により不揮発性メモリ４２に記録されている過去の通信履歴から発信者の１通話当たりの通話時間を求める（Ｓ９１７）。発信者の１通話当たりの通話時間が、ユーザが指定するしきい値Ｔｓより長い場合は、通話時間が長くなると判断し、チャンネル情報格納手段１６により現在視聴中の番組のチャンネル情報を不揮発性メモリ１８へ記録し（Ｓ９０４）、テレビ電源スイッチ１３をオフにして最も省電力効果の大きいテレビ受信機部１全体の電源をオフし携帯電話装置での通話状態へ入る（Ｓ９０３）。
【００８４】
テレビ受信機部１の電源がオフの状態から、通話が終わり、ユーザが終話キーを押したことを、通話終了検出手段３３により検出した場合（Ｓ９０５）、現在テレビ受信機部１の電源がオンかオフかをテレビ受信機電源検出手段１２により検出し、もし電源がオフの場合は、テレビ電源スイッチ１３をオンにしてテレビ受信機部１全体の電源をオンする（Ｓ９０６）。その後、チャンネル情報格納手段１６により不揮発性メモリ１８に記録されたチャンネル情報を読みだし、通話する前に視聴していたテレビチャンネルを選局する（Ｓ９０７）。
【００８５】
ステップＳ９１８の判断で発信者の１通話当たりの通話時間が、しきい値Ｔｓより短い場合は、通話時間が短いと判断し、表示部電源スイッチ１４をオフにしてテレビ受信機表示部１７だけの電源をオフし、携帯電話装置での通話状態へ入る（Ｓ９０８）。テレビ受信機表示部１７の電源がオフの状態で、通話が終わり、ユーザが終話キーを押したことを、通話終了検出手段３３により検出した場合（Ｓ９０５）、テレビ電源スイッチ１３をオンにしてテレビ受信機表示部１７の電源をオンし、通話前に視聴していたチャンネルを視聴する（Ｓ９０９）。
【００８６】
第８の実施の形態は、第７の実施の形態にかかるテレビ受信機一体型携帯電話装置において、通話が終了したことを検出する通話終了検出手段３３と、電源スイッチ６をオフにする前に視聴していたチャンネル情報を不揮発性メモリ１８に格納するためのチャンネル情報格納手段１６とを具備し、通話終了検出手段３３において通話終了を検出した際に、テレビ受信機部１の電源をオフしていた場合は、電源スイッチ６をオンにし、チャンネル情報格納手段１６により不揮発性メモリ１８からチャンネル情報を呼出し、通話する前に視聴していたチャンネルを選局し、また、テレビ受信機表示部１７の電源をオフしていた場合は、表示部電源スイッチ１４をオンにし、通話する前に視聴していたチャンネルを視聴するようにした。
【００８７】
この実施の形態によれば、テレビ放送視聴中に着呼があったときに、通話が長くなる傾向にある発信者からの着呼であるときには、視聴中のチャンネル情報を不揮発性メモリ１８へ記憶させた後、テレビ受信機部１の電源をオフとして、省電力を実現するとともに、テレビ受信機部１から携帯電話部３へのノイズの飛び込みを無くすことが出来、通話が終了したときに、テレビ受信機部１の電源をオンとすることによって、通話前に視聴していたチャンネルを見ることができる。また、テレビ放送視聴中の着呼が、通話があまり長くない傾向にある発信者からの着呼であるときには、テレビ受信機表示部の電源をオフとすることによって、通話終了時に直ちにテレビ受信機表示部１７の電源をオンとすることによって、通話前に視聴していたチャンネルを継続して視聴することができる。
【００８８】
次に、本発明の第９の実施の形態に関して、図１及び図１０のフローチャート図を参照しながら説明する。ユーザはまず、テレビ受信機部１のテレビ電源スイッチ１３により電源をオンにし、特定のチャンネルを選局しテレビ視聴を始める（ＳＡ０１）。テレビ視聴中に携帯電話部３に着呼があり、ユーザにより操作部４７の通話キーが押されたことを着呼検出手段３２により検出された後（ＳＡ０２）、現在視聴中のテレビチャンネルの選局に必要なチャンネル情報をチャンネル情報格納手段１６により、不揮発性メモリ１８に記録した後（ＳＡ０４）、現在テレビ受信機部１の電源がオンかオフかをテレビ受信機電源検出手段１２により検出し、もし電源がオンの場合は、テレビ受信機部１全体の電源をオフにしたあとで、携帯電話装置での通話状態へ入る（ＳＡ０３）。通話が終わり、ユーザが終話キーを押したことを、通話終了検出手段３３により検出した場合（ＳＡ０５）、接続基地局変更検出手段３８により、通話中に携帯電話装置の接続基地局の変更があったかどうかを検出し（ＳＡ１９）、変更が無かった場合は、大きな移動をしていないので、通話前に視聴していたテレビ放送波がそのまま受信可能と判断し、現在テレビ受信機部１の電源がオンかオフかをテレビ受信機電源検出手段１２により検出し、もし電源がオフの場合は、テレビ電源スイッチ１３をオンにしてテレビ受信機部１全体の電源をオンする（ＳＡ０６）。接続基地局に変更があったかどうかの検出は、接続中の基地局のＩＤ及び接続基地局に変更があった場合の変更後の基地局のＩＤをＲＡＭ４３または不揮発性メモリ４２に記録しておくことにより、通話開始時の接続基地局のＩＤと通話終了時の接続基地局のＩＤを比較することによって行なう。その後、チャンネル情報格納手段１６により不揮発性メモリ１８に記録されたチャンネル情報を読みだし、通話する前に視聴していたテレビチャンネルを選局する（ＳＡ０７）。
【００８９】
第９の実施の形態は、第２の実施の形態または第４の実施もしくは第８の実施の形態のいずれかにかかるテレビ受信機一体型携帯電話装置において、通話中にテレビ受信機一体型携帯電話装置が接続している基地局の変更があったかどうかを判定する接続基地局変更検出手段３８とを具備し、基地局の変更が無かった場合に、チャンネル情報格納手段１６より不揮発性メモリ１８からチャンネル情報を呼出し、通話する前に視聴していたチャンネルを選局するようにした。
【００９０】
この実施の形態によれば、テレビ放送視聴中に着呼があってテレビ受信機またはテレビ受信機表示部の電源をオフとした後、通話を行い、通話終了後テレビ受信に復帰するときに、携帯電話基地局の変更がなかったときに通話前に視聴していたチャンネルを選局して視聴することができる。
【００９１】
次に、本発明の第１０の実施の形態に関して、図１及び図１１のフローチャート図を参照しながら説明する。ユーザはまず、テレビ受信機部１のテレビ電源スイッチ１３により電源をオンにし、特定のチャンネルを選局しテレビ視聴を始める（ＳＢ０１）。テレビ視聴中に携帯電話部３に着呼があり、ユーザにより操作部４７の通話キーが押されたことを着呼検出手段３２により検出された後（ＳＢ０２）、現在視聴中のテレビチャンネルの選局に必要なチャンネル情報をチャンネル情報格納手段１６により、不揮発性メモリ１８に記録した後（ＳＢ０４）、現在テレビ受信機部１の電源がオンかオフかをテレビ受信機電源検出手段１２により検出し、もし電源がオンの場合は、テレビ電源スイッチ１３をオフにしてテレビ受信機部１全体の電源をオフにしたあとで、携帯電話装置での通話状態へ入る（ＳＢ０３）。通話が終わり、ユーザが終話キーを押したことを、通話終了検出手段３３により検出した場合（ＳＢ０５）、現在テレビ受信機部１の電源がオンかオフかをテレビ受信機電源検出手段１２により検出し、もし電源がオフの場合は、テレビ電源スイッチ１３をオンにしてテレビ受信機部１全体の電源をオンする（ＳＢ０６）。接続基地局変更検出手段３８により、通話中に携帯電話装置の接続基地局の変更があったかどうかを検出し（ＳＢ１９）、変更が無かった場合は、大きな移動をしていないので、通話前に視聴していたテレビ放送波がそのまま受信可能と判断し、チャンネル情報格納手段１６により不揮発性メモリ１８に記録されたチャンネル情報を読みだし、通話する前に視聴していたテレビチャンネルを選局する（ＳＢ０７）。
【００９２】
一方、ステップＳＢ１９で接続基地局に変更があったことを検出した場合には、接続基地局が都道府県をまたいでいるかどうかを判定し（ＳＢ２０）、都道府県をまたいでいない場合は、通話前に視聴していたテレビ放送波がそのまま受信可能と判断し、チャンネル情報格納手段１６により不揮発性メモリ１８に記録されたチャンネル情報を読みだし、通話する前に視聴していたテレビチャンネルを選局する（ＳＢ０７）。また、ステップＳＢ２０の判断で都道府県をまたいでいる場合は、通話前に視聴していたテレビ放送波の視聴が難しいと判断し、テレビ受信機部１のチャンネルサーチ手段１５により、テレビ放送波の周波数帯域をサーチし、受信可能な放送波のチャンネル情報をチャンネル情報格納手段１６により不揮発性メモリ１８へプリセットを行なう（ＳＢ２１）。
【００９３】
第１０の実施の形態は、第９の実施の形態にかかるテレビ受信機一体型携帯電話装置において、受信可能なチャンネルを検出するチャンネルサーチ手段１５とを具備し、接続基地局変更検出手段３８において、都道府県での移動を含む基地局の変更があったと判断した場合は、前記チャンネルサーチ手段１５により受信可能なチャンネル情報をサーチし、チャンネル情報格納手段１６により不揮発性メモリ１８へチャンネル情報をプリセットするようにした。
【００９４】
この実施の形態によれば、テレビ放送視聴中に着呼があってテレビ受信機またはテレビ受信機表示部の電源をオフとした後、通話を行い、通話終了後テレビ受信に復帰するときに、携帯電話基地局の変更が都道府県を越えた変更であるときに、受信可能なチャンネルをサーチして、受信可能なチャンネル情報を設定することができる。
【００９５】
次に、本発明の第１１の実施の形態に関して、図１及び図１２のフローチャート図を参照しながら説明する。ユーザはまず、テレビ受信機部１のテレビ電源スイッチ１３により電源をオンにし、特定のチャンネルを選局しテレビ視聴を始める（ＳＣ０１）。テレビ視聴中に携帯電話部３に着呼があり、ユーザにより操作部４７の通話キーが押されたことを着呼検出手段３２により検出された後（ＳＣ０２）、現在視聴中のテレビチャンネルの選局に必要なチャンネル情報をチャンネル情報格納手段１６により不揮発性メモリ１８に記録した後（ＳＣ０４）、現在テレビ受信機部１の電源がオンかオフかをテレビ受信機電源検出手段１２により検出し、もし電源がオンの場合は、テレビ時電源スイッチ６をオフにしてテレビ受信機部１全体の電源をオフにしたあとで、携帯電話装置での通話状態へ入る（ＳＣ０３）。通話が終わり、ユーザが終話キーを押したことを、通話終了検出手段３３により検出した場合（ＳＣ０５）、現在テレビ受信機部１の電源がオンかオフかをテレビ受信機電源検出手段１２により検出し、もし電源がオフの場合は、テレビ電源スイッチ１３をオンにしてテレビ受信機部１全体の電源をオンする（ＳＣ０６）。接続基地局変更検出手段３８により、通話中に携帯電話装置の接続基地局の変更があったかどうかを検出し（ＳＣ１９）、変更が無かった場合は、大きな移動をしていないので、通話前に視聴していたテレビ放送波がそのまま受信可能と判断し、チャンネル情報格納手段１６により不揮発性メモリ１８に記録されたチャンネル情報を読みだし、通話する前に視聴していたテレビチャンネルを選局する（ＳＣ０７）。
【００９６】
一方、ステップＳＣ１９の判断で接続基地局に変更があった場合には、接続基地局が都道府県をまたいでいるかどうかを判定し（ＳＣ２０）、都道府県をまたいでいない場合は、通話前に視聴していたテレビ放送波がそのまま受信可能と判断し、チャンネル情報格納手段１６により不揮発性メモリ１８に記録されたチャンネル情報を読みだし、通話する前に視聴していたテレビチャンネルを選局する（ＳＣ０７）。また、ステップＳＣ２０の判定で都道府県をまたいでいる場合は、通話前に視聴していたテレビ放送波の視聴が難しいと判断し、テレビ受信機部１のチャンネルサーチ手段１５により、テレビ放送波の周波数帯域をサーチし、受信可能な放送波のチャンネル情報をチャンネル情報格納手段１６により不揮発性メモリ１８へプリセットを行なう（ＳＣ２１）。更に、通話前に視聴していたテレビチャンネルと同系列局のチャンネルが新たにプリセットされたチャンネル情報に含まれるかどうかを判定し（ＳＣ２２）、もし含まれていなければ、チャンネル情報格納手段１６により不揮発性メモリ１８に記録されている通話前に視聴していたチャンネル情報を読みだし、選局する（ＳＣ０７）。もしステップＳＣ２２の判定で通話前に視聴していたテレビチャンネルと同系列局のチャンネルが新たにプリセットされたチャンネル情報に含まれていれば、プリセットされた同系列局のチャンネルを選局する（ＳＣ２３）。
【００９７】
この実施の形態によれば、第９に実施の形態において、都道府県を越えて形態基地局の変更があったときに、受信可能なチャンネルをサーチし、受信可能な放送波のチャンネル情報をプリセットし、更に、通話前に視聴していたテレビチャンネルと同系列局のチャンネルが新たにプリセットされたチャンネル情報に含まれるかどうかを判定して、もし含まれていなければ、通話前に視聴していたチャンネル情報を読みだし、選局することができる。また、通話前に視聴していたテレビチャンネルと同系列局のチャンネルが新たにプリセットされたチャンネル情報に含まれていれば、プリセットされた同系列局のチャンネルを選局して視聴することができる。
【００９８】
第１１の実施の形態は、第１０の実施の形態にかかるテレビ受信機一体型携帯電話装置において、通話終了検出手段３３において、通話終了を検出した際に、不揮発性メモリ１８にプリセットされたチャンネルサーチ手段１５によりサーチされた受信可能なチャンネルに含まれる、チャンネル情報格納手段１６により不揮発性メモリ１８に格納された通話前に視聴していたテレビチャンネルと同系列局のチャンネルを選局するようにした。
【００９９】
次に、本発明の第１２の実施の形態に関して、図１及び図１３のフローチャート図を参照しながら説明する。ユーザはまず、テレビ受信機部１のテレビ電源スイッチ１３により電源をオンにし、特定のチャンネルを選局しテレビ視聴を始める（ＳＤ０１）。テレビ視聴中に携帯電話部３に着呼があり、ユーザにより操作部４７の通話キーが押されたことを着呼検出手段３２により検出された後（ＳＤ０２）、現在視聴中のテレビチャンネルの選局に必要なチャンネル情報をチャンネル情報格納手段１６により不揮発性メモリ１８に記録した後（ＳＤ０４）、現在テレビ受信機部１の電源がオンかオフかをテレビ受信機電源検出手段１２により検出し、もし電源がオンの場合は、テレビ電源スイッチ１３をオフにしてテレビ受信機部１全体の電源をオフにしたあとで、携帯電話装置での通話状態へ入る（ＳＤ０３）。そして基地局データ格納手段３９により自局が位置登録をした基地局のデータを基地局データ格納手段３９により不揮発性メモリ４２へ記録する（ＳＤ２４）。通話が終わり、ユーザが終話キーを押したことを、通話終了検出手段３３により検出した場合（ＳＤ０５）、接続基地局変更検出手段３８により、通話中に携帯電話装置の接続基地局の変更があったかどうかを検出し（ＳＤ１９）、変更が無い場合は、現在テレビ受信機部１の電源がオンかオフかをテレビ受信機電源検出手段１２により検出し、もし電源がオフの場合は、テレビ電源スイッチ１３をオンにしてテレビ受信機部１全体の電源をオンし（ＳＤ０６）、チャンネル情報格納手段１６により不揮発性メモリ１８に記録されたチャンネル情報を読みだし、通話する前に視聴していたテレビチャンネルを選局する（ＳＤ０７）。
【０１００】
ステップＳＤ１９の判定で通話中に接続基地局の変更があった場合は、変更後の接続基地局のデータから、地域コード変換手段４０により対応する地域コードを求め、地域コードから分かるその地域で視聴可能なチャンネル情報をチャンネル情報格納手段１６により不揮発性メモリ１８にプリセットする。ここで地域コードとは、例えば地上デジタルテレビ放送で使用される、ほぼ都道府県単位に割り当てられた地域識別割り当てコードを用いてもよい。
【０１０１】
第１２の実施の形態は、第９の実施の形態にかかるテレビ受信機一体型携帯電話装置において、テレビ受信機一体型携帯電話装置が位置登録をした基地局のデータを不揮発性メモリ４２に格納する基地局データ格納手段３９と、携帯局の基地局データと地上デジタルテレビ放送のチャンネル情報をプリセットするための地域コードを変換するための地域コード変換手段４０とを具備し、接続基地局変更検出手段３８において検出された基地局データから、地域コード変換手段４０により地域コードを求め、地域コードから視聴可能なチャンネル情報をチャンネル情報格納手段１６により不揮発性メモリ１８へプリセットするようにした。
【０１０２】
次に、本発明の第１３の実施の形態及び第１４の実施の形態に関して説明する。第１２の実施の形態において、ステップＳＤ２５での接続基地局のデータから地域コードを求めるためのテーブルデータをテレビ受信機一体型携帯電話装置が保有していなかった場合に、接続基地局のデータから、地域コードを求める具体的方法を第１３の実施の形態及び第１４の実施の形態として示す。
【０１０３】
第１３の実施の形態では、携帯基地局へ自局が位置登録するときに、基地局のデータと地域コードを知るために必要なデータを、携帯基地局から取得することを特徴とする。例えば、位置登録した基地局特有のＩＤ番号とその基地局が存在する地域の地域コードをペアとしたデータを位置登録時に基地局から取得し、取得した地域コードから分かるその地域で視聴可能なチャンネル情報を不揮発性メモリ１８にプリセットする。こうすることにより、テレビ受信機一体型携帯電話装置が、全ての携帯基地局の地域コードを記憶しておく必要がなく、メモリ容量を節約することができる。また、移動先の場所でテレビ受信機一体型携帯電話装置が携帯基地局へ位置登録した際に、随時、地域コードを取得できるので大変使い勝手がよくなる。
【０１０４】
第１３の実施の形態は、第１２の実施の形態にかかるテレビ受信機一体型携帯電話装置において、地域コードと基地局データを変換するためのデータが基地局データに含まれるようにした。
【０１０５】
第１４の実施の形態では、地域コード変換手段４０に登録されているデータに位置登録した基地局データが無い場合に、ネットワーク上のサーバーから取得することを特徴とする。第１２の実施の形態において、通話終了後、接続基地局変更検出手段３８により、通話中に携帯電話装置の接続基地局の変更があったかどうかを検出し（ＳＤ１９）、接続基地局の変更があった場合は、例えば電話回線を通してインターネット上に設置されている、基地局データと地域コードが取得できる専用サーバーに接続し、基地局データから地域コードを取得する。その後、取得した地域コードから分かるその地域で視聴可能なチャンネル情報を不揮発性メモリ１８にプリセットする。この実施の形態は、特に新規に設置される携帯基地局のデータから地域コードを取得するために有効な方法である。
【０１０６】
第１４の実施の形態は、第１２の実施の形態にかかるテレビ受信機一体型携帯電話装置において、地域コードと基地局データを変換するための変換データをネットワーク上のサーバーから取得するための変換データ取得手段４８とを具備し、地域コード変換手段４０に登録されているデータに位置登録した基地局データが無い場合に前記変換データ取得手段により、ネットワーク上のサーバーに接続し、地域コードと基地局データを変換するための変換データを更新するようにした。
【０１０７】
次に、本発明の第１５の実施の形態に関して、図１及び図１４のフローチャート図を参照しながら説明する。ユーザはまず、テレビ受信機部１のテレビ電源スイッチ１３により電源をオンにし、特定のチャンネルを選局しテレビ視聴を始める（ＳＥ０１）。テレビ視聴中に携帯電話部３に着呼があり、ユーザにより操作部４７の通話キーが押されたことを着呼検出手段３２により検出された後（ＳＥ０２）、現在視聴中のテレビチャンネルの選局に必要なチャンネル情報をチャンネル情報格納手段１６により不揮発性メモリ１８に記録した後（ＳＥ０４）、現在テレビ受信機部１の電源がオンかオフかをテレビ受信機電源検出手段１２により検出し、もし電源がオンの場合は、テレビ電源スイッチ１３をオフにしてテレビ受信機部１全体の電源をオフにしたあとで、携帯電話装置での通話状態へ入る（ＳＥ０３）。そして自局が位置登録をした基地局のデータを基地局データ格納手段３９により不揮発性メモリ４２、又はＲＡＭ４３へ記録する（ＳＥ２４）。通話が終わり、ユーザが終話キーを押したことを、通話終了検出手段３３により検出した場合（ＳＥ０５）、接続基地局変更検出手段３８により、通話中に携帯電話装置の接続基地局の変更があったかどうかを検出し（ＳＥ１９）、変更が無い場合は、現在テレビ受信機部１の電源がオンかオフかをテレビ受信機電源検出手段１２により検出し、もし電源がオフの場合は、テレビ電源スイッチ１３をオンにしてテレビ受信機部１全体の電源をオンし（ＳＥ０６）、チャンネル情報格納手段１６により不揮発性メモリ１８に記録されたチャンネル情報を読みだし、通話する前に視聴していたテレビチャンネルを選局する（ＳＥ０７）。
【０１０８】
ステップＳＥ１９の判定で通話中に接続基地局の変更があった場合は、変更後の接続基地局のデータから、地域コード変換手段４０により対応する地域コードを求め、地域コードから分かるその地域で視聴可能なチャンネル情報をチャンネル情報格納手段１６により不揮発性メモリ１８にプリセットする（ＳＥ２５）。
【０１０９】
更に、通話前に視聴していたテレビチャンネルと同系列局のチャンネルが新たにプリセットされたチャンネル情報に含まれるかどうかを判定し（ＳＥ２２）、もし含まれていなければ、チャンネル情報格納手段１６により不揮発性メモリ１８に記録されている通話前に視聴していたチャンネル情報を読みだし、選局する（ＳＥ０７）。もしステップＳＥ２２の判定で通話前に視聴していたテレビチャンネルと同系列局のチャンネルが新たにプリセットされたチャンネル情報に含まれていれば、プリセットされた同系列局のチャンネルを選局する（ＳＥ２３）。
【０１１０】
図１５を用いて移動に伴う携帯基地局の変更とテレビ放送のサービスエリア変更の関係を説明する。テレビ受信機一体型携帯電話装置にて、場所Ａで放送局１からの放送を視聴中に、着呼があり、通話をしながら場所Ｂへ移動し、通話終了時には場所Ｃへ移動したとする。場所Ａでは、セル１の基地局１に位置登録されており、場所Ｃではセル２の基地局２に位置登録が変更されている、しかも場所Ｃでは放送局１の電波は受信が難しく、同系列局の放送局２のサービスエリアに入っている。このような場合に、通話終了後の位置に最も近い同系列局の放送局の放送波を受信することが可能になる。
【０１１１】
【発明の効果】
上記にて説明された本発明により以下の効果がもたらされる。テレビ受信機一体型携帯電話装置にて、テレビ視聴中に着呼があった場合に、一旦テレビ受信機の電源をオフし、通話中に移動したことにより、テレビ放送のサービスエリアが変った場合でも、通話終了後同系列局のチャンネルの視聴へ復帰が可能であるため、通話終了後わざわざユーザが自分で電源を入れ、チャンネルを選局する操作をする必要が無くなる。
【図面の簡単な説明】
【図１】本発明にかかるテレビ受信機一体型携帯電話装置の構成を説明する機能ブロック図。
【図２】本発明の第１の実施の形態の動作を示すフローチャート図。
【図３】本発明の第２の実施の形態の動作を示すフローチャート図。
【図４】本発明の第３の実施の形態の動作を示すフローチャート図。
【図５】本発明の第４の実施の形態の動作を示すフローチャート図。
【図６】本発明の第５の実施の形態の動作を示すフローチャート図。
【図７】本発明の第６の実施の形態の動作を示すフローチャート図。
【図８】本発明の第７の実施の形態の動作を示すフローチャート図。
【図９】本発明の第８実施の形態の動作を示すフローチャート図。
【図１０】本発明の第９実施の形態の動作を示すフローチャート図。
【図１１】本発明の第１０の実施の形態の動作を示すフローチャート図。
【図１２】本発明の第１１の実施の形態の動作を示すフローチャート図。
【図１３】本発明の第１２の実施の形態の動作を示すフローチャート図。
【図１４】本発明の第１３の実施の形態の動作を示すフローチャート図。
【図１５】移動に伴う携帯基地局の変更とテレビ放送のサービスエリア変更を説明する図である。
【符号の説明】
１  テレビ受信機部
１１  チューナ／復調部
１２  テレビ受信機電源検出手段
１３  テレビ電源スイッチ
１４  表示部電源スイッチ
１５  チャンネルサーチ手段
１６  チャンネル情報格納手段
１７  テレビ受信機表示部
１８  不揮発性メモリ
１９  ＲＡＭ
２０  ＲＯＭ
２１  制御部／信号処理部
２２  アンテナ
３  携帯電話部
３１  無線送受信回路部
３２  着呼検出手段
３３  通話終了検出手段
３４  留守番モード設定手段
３５  留守番転送記録手段
３６  発信者番号認識手段
３７  通信履歴格納手段
３８  接続基地局変更検出手段
３９  基地局データ格納手段
４０  地域コード変換手段
４１  携帯電話表示部
４２  不揮発性メモリ
４３  ＲＡＭ
４４  ＲＯＭ
４５  マイク／スピーカ
４６  制御部／信号処理部
４７  操作部
４８  変換データ取得手段
４９  アンテナ
５１  携帯電話装置基地局
５２  留守番センター
【図１】
2004153399.tif 000003
【図２】
2004153399.tif 000004
【図３】
2004153399.tif 000005
【図４】
2004153399.tif 000006
【図５】
2004153399.tif 000007
【図６】
2004153399.tif 000008
【図７】
2004153399.tif 000009
【図８】
2004153399.tif 000010
【図９】
2004153399.tif 000011
【図１０】
2004153399.tif 000012
【図１１】
2004153399.tif 000013
【図１２】
2004153399.tif 000014
【図１３】
2004153399.tif 000015
【図１４】
2004153399.tif 000016
【図１５】
2004153399.tif 000017